(57)【特許請求の範囲】
【請求項１】
カラー画像処理装置とカラー画像形成装置とが接続された画像形成システムにおいて、
前記カラー画像処理装置は、
該カラー画像処理装置で作成されたＲＧＢ値でなるカラー画像データをＬａｂ値でなる画像データに変換する第１プロファイルと、
前記Ｌａｂ値でなる画像データをＫ値が０となるようにＣＭＹ値でなる画像データに変換する第２プロファイルと、
仮想格子線の交点に対し、格子線上のそれぞれ異なる方向にずらせて配置した４つの基本アノトドットを第１フォントデータの各キャラクタコードとして前記カラー画像処理装置に登録し、該登録された前記第１フォントデータの各キャラクタコードを組合せてアノトパターンデータとして第１キャラクタコードデータを構成すると共に、該アノトパターンデータをＫ値指定して前記カラー画像形成装置に送信するアノトパターン生成部とを備える
色変換部を有し、
前記カラー画像形成装置は、
前記カラー画像処理装置から送信されてきたＣＭＹ変換された前記画像データと、Ｋ指定された前記アノトパターンデータを受信し、それそれのデータを合成してカラー画像を形成する画像形成部を有することを特徴とする画像形成システム。
【請求項２】
請求項１記載の画像形成システムにおいて、
前記カラー画像処理装置の色変換部は、
前記カラー画像形成装置のカラー特性情報に基づき、前記画像データを変換することを特徴とする画像形成システム。
【請求項３】
請求項１記載の画像形成システムにおいて、
印刷媒体に印刷された画像の色味を、ディスプレイに表示されている画像の色味と近似させる色味近似用プロファイルを更に有し、
前記色変換部は、前記カラー画像処理装置で作成されたカラー画像データを、前記色味近似用プロファイルに基づきＣＭＹ変換することを特徴とする画像形成システム。
【請求項４】
請求項２記載の画像形成システムにおいて、
前記カラー画像処理装置の前記色変換部は、
前記カラー画像形成装置のカラー特性情報に基づく変換情報を複数有し、該複数の変換情報に基づき前記カラー画像データを変換することを特徴とする画像形成システム。
【請求項５】
請求項１乃至４のいずれかに記載の画像形成システムにおいて、
前記カラー画像処理装置は、
印刷を指示するカラー画像形成装置に対応する前記色味近似用プロファイルを記憶する色味近似用プロファイル記憶部と、
印刷を指示するとき、前記色味近似用プロファイル記憶部に記憶されている色味近似用プロファイルの中から、印刷を指示するカラー画像形成装置に対応する色味近似用プロファイルを選択するプロファイル選択部を、
更に有することを特徴とする画像形成システム。
【請求項６】
請求項５に記載の画像形成システムにおいて、
前記カラー画像処理装置は、
前記色味近似用プロファイル記憶部に記憶されている色味近似用プロファイルを、自装置以外から取得する色味近似用プロファイル取得部と、
前記色味近似用プロファイル取得部により取得した色味近似用プロファイルを、前記色味近似用プロファイル記憶部に書き込む前記色味近似用プロファイル書込部とを
更に有すること特徴とする画像形成システム。
【請求項７】
カラー画像データとアノトパターンデータとを合成したカラー画像を形成するカラー画像形成装置に接続された画像処理装置において、
予め作成されたＲＧＢ値でなるカラー画像データをＬａｂ値でなる画像データに変換する第１のプロファイルと、
前記Ｌａｂ値でなる画像データをＫ値が０となるようにＣＭＹ値でなる画像データに変換する第２プロファイルと、
仮想格子線の交点に対し、格子線上のそれぞれ異なる方向にずらせて配置した４つの基本アノトドットを第１フォントデータの各キャラクタコードとして前記画像処理装置に登録し、該登録された前記第１フォントデータの各キャラクタコードを組合せて前記アノトパターンデータとして第１キャラクタコードデータを構成すると共に、該アノトパターンデータをＫ値指定するアノトパターン生成部とを備える、
色変換部と、
前記色変換部によりＣＭＹ変換された前記カラー画像データと、該色変換部によりＫ指定された前記アノトパターンデータとを、前記カラー画像形成装置に送信する送信部と
を有することを特徴とする画像処理装置。
【請求項８】
請求項７記載の画像処理装置において、
前記色変換部は、前記カラー画像形成装置のカラー特性情報に基づき、前記カラー画像データを変換することを特徴とする画像処理装置。
【請求項９】
請求項７記載の画像処理装置において、
印刷媒体に印刷された画像の色味を、ディスプレイに表示されている画像の色味と近似させる色味近似用プロファイルを更に有し、
前記色変換部は、前記カラー画像処理装置で作成されたカラー画像データを、前記色味近似用プロファイルに基づきＣＭＹ変換することを特徴とする画像処理装置。
【請求項１０】
請求項８記載の画像処理装置において、
前記色変換部は、前記カラー画像形成装置のカラー特性情報に基づく変換情報を複数有し、該複数の変換情報に基づき前記カラー画像データを変換することを特徴とする画像処理装置。
【請求項１１】
請求項７乃至１０のいずれかに記載の画像処理装置において、
印刷を指示するカラー画像形成装置に対応する前記色味近似用プロファイルを記憶する色味近似用プロファイル記憶部と、
印刷を指示するとき、前記色味近似用プロファイル記憶部に記憶されている色味近似用プロファイルの中から、印刷を指示するカラー画像形成装置に対応する色味近似用プロファイルを選択するプロファイル選択部を
更に有することを特徴とする画像処理装置。
【請求項１２】
請求項１１記載の画像処理装置において、
前記色味近似用プロファイル記憶部に記憶されている色味近似用プロファイルを、自装置以外から取得する色味近似用プロファイル取得部と、
前記色味近似用プロファイル取得部により取得した色味近似用プロファイルを、前記色味近似用プロファイル記憶部に書き込む前記色味近似用プロファイル書込部とを
更に備えること特徴とする画像処理装置。
【請求項１３】
カラー画像データとアノトパターンデータとを合成したカラー画像を形成するカラー画像形成装置に印刷指示を出力する画像処理方法において、
予め作成されたＲＧＢ値でなるカラー画像データをＬａｂ値でなる画像データに変換し、前記Ｌａｂ値でなる画像データをＫ値が０となるようにＣＭＹ値でなる画像データに変換し、
仮想格子線の交点に対し、格子線上のそれぞれ異なる方向にずらせて配置した４つの基本アノトドットを第１フォントデータの各キャラクタコードとして登録し、該登録された前記第１フォントデータの各キャラクタコードを組合せて前記アノトパターンデータとして第１キャラクタコードデータを構成すると共に、該アノトパターンデータをＫ指定し、
ＣＭＹ変換された前記カラー画像データと、Ｋ指定された前記アノトパターンデータとを、前記カラー画像形成装置に送信することを特徴とする画像処理方法。
【請求項１４】
請求項１３記載の画像処理方法において、
前記カラー画像形成装置のカラー特性情報に基づき、前記カラー画像データを変換することを特徴とする画像処理方法。
【請求項１５】
請求項１３記載の画像処理方法において、
前記カラー画像処理装置で作成されたカラー画像データを、予め記憶する、印刷媒体に印刷された画像の色味をディスプレイに表示されている画像の色味と近似させる色味近似用プロファイルに基づきＣＭＹ変換することを特徴とする画像処理方法。
【請求項１６】
請求項１５記載の画像処理方法において、
前記カラー画像形成装置のカラー特性情報に基づく変換情報を複数有し、該複数の変換情報に基づき前記カラー画像データを変換することを特徴とする画像処理方法。
【請求項１７】
請求項１３乃至１６のいずれかに記載の画像処理方法において、
印刷を指示するカラー画像形成装置に対応する前記色味近似用プロファイルを記憶する色味近似用プロファイル記憶部と、
印刷を指示するとき、予め記憶する、印刷を指示するカラー画像形成装置に対応する色味近似用プロファイルの中から、印刷を指示するカラー画像形成装置に対応する色味近似用プロファイルを選択することを特徴とする画像処理方法。
【請求項１８】
請求項１７記載の画像処理方法において、
予め記憶する前記色味近似用プロファイルを自装置以外から取得し、
取得した色味近似用プロファイルを記憶部に書き込むこと特徴とする画像処理方法。
【請求項１９】
請求項１３乃至１９の何れかに記載の画像処理方法において、
ＣＭＹＫ変換された前記カラー画像データを前記カラー画像形成装置に送信する際、前記カラー画像形成装置におけるＣＭＹＫ変換処理を回避させるＣＭＹＫ変換済み情報を送信することを特徴とする画像処理方法。
【請求項２０】
請求項１記載の画像形成システムにおいて、
前記アノトパターン生成部は、前記４つの基本アノトドットを複数組合せて前記第１フォントデータの各キャラクタコードとして登録することを特徴とする画像形成システム。
【請求項２１】
請求項２０記載の画像形成システムにおいて、
前記アノトパターン生成部は、前記４つの基本アノトドットを複数組合せて登録するか、単独で登録するかを選択可能とすることを特徴とする画像形成システム。
【請求項２２】
請求項７記載の画像処理装置において、
前記アノトパターン生成部は、前記４つの基本アノトドットを複数組合せて前記第１フォントデータの各キャラクタコードとして登録することを特徴とする画像処理装置。
【請求項２３】
請求項２２記載の画像処理装置において、
前記アノトパターン生成部は、前記４つの基本アノトドットを複数組合せて登録するか、単独で登録するかを選択可能とすることを特徴とする画像処理装置。
【請求項２４】
請求項１３記載の画像処理方法において、
前記４つの基本アノトドットを複数組合せて前記第１フォントデータの各キャラクタコードとして登録することを特徴とする画像処理方法。
【請求項２５】
前記４つの基本アノトドットを複数組合せて登録するか、単独で登録するかを選択可能とすることを特徴とする画像処理方法。
【発明の詳細な説明】
【技術分野】
【０００１】
本発明は、カラー画像処理装置とカラー画像形成装置とが接続された画像形成システム、カラー画像形成装置に接続された画像処理装置、及び、画像処理方法に関する。
【背景技術】
【０００２】
従来から、図７に示すように、パーソナルコンピュータ（ＰＣ）等のホスト７０と、プリンタ８０とがケーブル（図示せず）により接続された画像形成システムを使用して、Ａｎｏｔｏ印刷が行われている。すなわち、従来の画像形成システムでは、ホスト７０が（Ｒ、Ｇ、Ｂ）値でなる画像データと、Ａｎｏｔｏパターンデータをケーブルを介してプリンタ８０に送信し、プリンタ８０が（Ｒ（レッド）、Ｇ（グリーン）、Ｂ（ブルー））値でなる画像データを補数変換（Ｃ＝１−Ｒ、Ｍ＝１−Ｇ、Ｙ＝１−Ｂ）して（Ｃ、Ｍ、Ｙ、Ｋ（Ｋ＝０））値でなる画像データを生成する。その後、プリンタ８０は、層厚制御を行って、生成した（Ｃ、Ｍ、Ｙ、Ｋ（Ｋ＝０））値でなる画像データと、ホスト７０から送信されてきたＡｎｏｔｏパターンデータを画像合成し、この画像合成した画像データを印刷媒体に印刷する。前述の（Ｃ、Ｍ、Ｙ、Ｋ（Ｋ＝０））中の（Ｋ＝０）は、（Ｃ、Ｍ、Ｙ、Ｋ（Ｋ＝０））値でなる画像データにおいて、Ｋ色を有していないことを示している。
【０００３】
ところで、ホスト７０のディスプレイに表示した画像の色味は、画像データの（Ｒ、Ｇ、Ｂ）値を標準ＲＧＢプロファイル（ｓＲＧＢプロファイル）に基づいて得られた色味であり、一方、プリンタ８０により印刷媒体に印刷された画像の色味は、ホスト７０から送信されてきた（Ｒ、Ｇ、Ｂ）値でなる画像データの（Ｒ、Ｇ、Ｂ）値を補数変換して得られた（Ｃ、Ｍ、Ｙ、Ｋ（Ｋ＝０））値に従った色味である。このため、同一な画像データを使用しても、ディスプレイに表示されているこの画像データの画像の色味と、プリンタにより印刷媒体に印刷された画像の色味とが一致しない。
【０００４】
上述したように、ディスプレイに表示した画像の色味とプリンタにより印刷媒体に印刷された画像の色味とは一致しないが、ユーザの要望で、ディスプレイに表示した画像の色味とプリンタにより印刷媒体に印刷された画像の色味とを一致させたいという要望あった。
【０００５】
このユーザからの要望に答えるため、従来の画像形成システムは、図８に示すように、ホスト７０から（Ｒ、Ｇ、Ｂ）値でなる画像データ及びＡｎｏｔｏパターンデータをプリンタ８０に送信し、プリンタ８０がこの画像データを補数変換して（Ｃ、Ｍ、Ｙ、Ｋ（Ｋ＝０）値でなる画像データに変換する。次に、プリンタ８０は、（Ｃ、Ｍ、Ｙ、Ｋ（Ｋ＝０））値でなる画像データを、リンクプロファイル８０３に基づき、印刷媒体に印刷された画像の色味を、ディスプレイに表示されている画像の色味と近似させる（Ｃ、Ｍ、Ｙ、Ｋ（Ｋ＝０））値でなる画像データに変換する。その後、プリンタの層厚制御部８０１は、リンクプロファイルに基づき、変換された画像データの（Ｃ、Ｍ、Ｙ、Ｋ（Ｋ＝０））値及びＡｎｏｔｏパターンデータのＫ値に基づいて全ての色のトナー層に関する層厚を制御し、印刷処理部８０２は、リンクプロファイルに基づき変換された（Ｃ、Ｍ、Ｙ、Ｋ（Ｋ＝０））値でなる画像データと、Ｋ値のみでなるＡｎｏｔｏパターンデータとを画像合成し、合成した画像を印刷媒体に印刷する（例えば、特許文献１参照）。従って、この印刷媒体に印刷された画像は、ディスプレイに表示された画像の色味と近似した色味を有し、且つ、印刷媒体には、Ａｎｏｔｏパターンの画像が印刷されている。
【特許文献１】特開２００５−１６９７９８号公報
【発明の開示】
【発明が解決しようとする課題】
【０００６】
しかしながら、上述した従来のディスプレイに表示されている画像の色味と、印刷媒体に印刷された画像の色味とを近似させる画像形成システムでは、プリンタにおいて、補数変換処理、色味近似用プロファイルを使用したプロファイル変換処理、及び、層厚制御処理を行う必要があるため、印刷処理における負荷が過大となり、印刷処理に関してスループットが低いという問題点があった。
【０００７】
そこで、本発明は上述した問題点に鑑み、ディスプレイに表示されている画像の色味と近似した色味を有する画像を印刷媒体にＡｎｏｔｏ（アノト）印刷するに際して、高いスループットを維持することが可能な画像形成システム、画像処理装置、及び画像処理方法を提供することを目的とする。
【課題を解決するための手段】
【０００８】
上記課題を解決するため、本発明は、カラー画像処理装置とカラー画像形成装置とが接続された画像形成システムにおいて、前記カラー画像処理装置が、該カラー画像処理装置で作成されたＲＧＢ値でなるカラー画像データをＬａｂ値でなる画像データに変換する第１プロファイルと、前記Ｌａｂ値でなる画像データをＫ値が０となるようにＣＭＹ値でなる画像データに変換する第２プロファイルと、仮想格子線の交点に対し、格子線上のそれぞれ異なる方向にずらせて配置した４つの基本アノトドットを第１フォントデータの各キャラクタコードとして前記カラー画像処理装置に登録し、該登録された前記第１フォントデータの各キャラクタコードを組合せてアノト（Ａｎｏｔｏ）パターンデータとして第１キャラクタコードデータを構成すると共に、該アノトパターンデータをＫ値指定して前記カラー画像形成装置に送信するアノトパターン生成部とを備える色変換部を有し、前記カラー画像形成装置が、前記カラー画像処理装置から送信されてきたＣＭＹ変換された前記画像データと、Ｋ指定された前記アノトパターンデータを受信し、それそれのデータを合成してカラー画像を形成する画像形成部を有することを特徴とする。
【００１０】
また、本発明は、カラー画像データとアノトパターンデータとを合成したカラー画像を形成するカラー画像形成装置に接続された画像処理装置において、予め作成されたＲＧＢ値でなるカラー画像データをＬａｂ値でなる画像データに変換する第１のプロファイルと、前記Ｌａｂ値でなる画像データをＫ値が０となるようにＣＭＹ値でなる画像データに変換する第２プロファイルと、仮想格子線の交点に対し、格子線上のそれぞれ異なる方向にずらせて配置した４つの基本アノトドットを第１フォントデータの各キャラクタコードとして前記画像処理装置に登録し、該登録された前記第１フォントデータの各キャラクタコードを組合せて前記アノトパターンデータとして第１キャラクタコードデータを構成すると共に、該アノトパターンデータをＫ指定するアノトパターン生成部とを備える、色変換部と、前記色変換部によりＣＭＹ変換された前記カラー画像データと、該色変換部によりＫ指定された前記アノトパターンデータとを、前記カラー画像形成装置に送信する送信部とを有する。
【００１２】
また、本発明は、カラー画像データとアノトパターンデータとを合成したカラー画像を形成するカラー画像形成装置に印刷指示を出力する画像処理方法において、予め作成されたＲＧＢ値でなるカラー画像データをＬａｂ値でなる画像データに変換し、前記Ｌａｂ値でなる画像データをＫ値が０となるようにＣＭＹ値でなる画像データに変換し、仮想格子線の交点に対し、格子線上のそれぞれ異なる方向にずらせて配置した４つの基本アノトドットを第１フォントデータの各キャラクタコードとして登録し、該登録された前記第１フォントデータの各キャラクタコードを組合せて前記アノトパターンデータとして第１キャラクタコードデータを構成すると共に、該アノトパターンデータをＫ指定し、ＣＭＹ変換された前記カラー画像データと、Ｋ指定された前記アノトパターンデータとを、前記カラー画像形成装置に送信することを特徴とする。
【発明の効果】
【００１４】
以上、本発明によれば、ディスプレイに表示されている画像の色味と近似した色味を有する画像を印刷媒体にＡｎｏｔｏ印刷するに際して、高いスループットを維持することができる。
【発明を実施するための最良の形態】
【００１５】
次に、本発明を実施するための最良の形態を説明する。
【実施例１】
【００１６】
図１は、本発明に係る実施例１の画像形成システムの構成を示すブロック図である。図１に示すように、実施例１の画像形成システムは、カラー画像処理装置としてのパーソナルコンピュータ（以下、ＰＣという）１０と、カラー画像形成装置としてプリンタ２０とが図示しない接続ケーブルを介して接続されている。
【００１７】
ＰＣ１０は、画像データ記憶部１０１と、標準ＲＧＢプロファイル１０２と、色味近似用プロファイル１０３と、標準ＲＧＢプロファイル変換部１０４と、色味近似用プロファイル変換部１０５と、Ａｎｏｔｏパターン生成部１０６と、印刷ジョブ生成部１０７とを備える。
【００１８】
ここで、標準ＲＧＢプロファイル変換部１０４は、図示しないＣＰＵが、図示しないＲＯＭに記憶されている標準ＲＧＢプロファイル変換制御プログラムを実行することにより構成される。色味近似用プロファイル変換部１０５は、同じくＣＰＵが、同じくＲＯＭに記憶されている色味近似用プロファイル変換制御プログラムを実行することにより構成される。Ａｎｏｔｏパターン生成部１０６は、同じくＣＰＵが同じくＲＯＭに記憶されているＡｎｏｔｏパターン生成制御プログラムを実行することにより構成される。なお、上述した標準ＲＧＢプロファイル変換制御プログラム、及び、色味近似用プロファイル変換制御プログラムには、例えば、ＰＤＦファイルを生成するための制御プログラムであるＡｃｒｏｂａｔ（Ａｄｏｂｅ社が提供しているアプリケーション名）を形成するＡｃｒｏｂａｔＤｉｓｔｉｌｌｅｒがある。Ａｎｏｔｏパターン生成制御プログラムには、ＡｃｒｏｂａｔにプラグインされたＡｃｒｏｂａｔＦＤＴがある。
【００１９】
画像データ記憶部１０１は、スキャナで読み取られた画像データ等、プリンタ２０に印刷される画像の画像データを記憶する。この画像データは、（Ｒ、Ｇ、Ｂ）値でなる画像データである。
【００２０】
標準ＲＧＢプロファイル１０２は、画像データ記憶部１０１に記憶されている（Ｒ、Ｇ、Ｂ）値でなる画像データを、（Ｌ、ａ、ｂ）値でなる画像データに変換するためのファイルである。この標準ＲＧＢプロファイル１０２のデータ構成は、テーブル形式である。なお、この標準ＲＧＢプロファイル１０２は、ＡｃｒｏｂａｔＤｉｓｔｉｌｌｅｒにパッケージングされている。
【００２１】
色味近似用プロファイル１０３は、印刷媒体に印刷すべき画像の色味をディスプレイに表示されている画像の色味に近似させるためのプロファイルであって、ディスプレイに表示させる（Ｌ、ａ、ｂ）値でなる画像データを、印刷媒体に印刷させる（Ｃ、Ｍ、Ｙ、Ｋ（Ｋ＝０））値でなる画像データに変換するためのファイルである。この色味近似用プロファイル１０３のデータ構成はテーブル形式である。なお、プリンタ２０にてＡｎｏｔｏ印刷をするとき、画像データとＫ色（黒色）のＡｎｏｔｏパターンデータとを合成した画像を印刷媒体に印刷するので、色味近似用プロファイル１０３は、（Ｌ、ａ、ｂ）値でなる画像データを、（Ｃ、Ｍ、Ｙ、Ｋ）値でなる画像データに変換する際には、Ｋ値を常に０、すなわち、黒色を有しないようにしている。また、色味近似用プロファイル１０３は、ユーザがプロファイル変換機により生成したプロファイル、または、ユーザの要求に従い、プロファイルを作成するツール等により生成されたプロファイルをＡｃｒｏｂａｔＤｉｓｔｉｌｌｅｒに組み込んだものである。
【００２２】
標準ＲＧＢプロファイル変換部１０４は、画像データ記憶部１０１に記憶されている（Ｒ、Ｇ、Ｂ）値でなる画像データを、標準ＲＧＢプロファイル１０２に基づき（Ｌ、ａ、ｂ）値でなる画像データに変換し、この変換した画像データを色味近似用プロファイル変換部１０５に出力する。この標準ＲＧＢプロファイル変換部１０４により（Ｒ、Ｇ、Ｂ）値から（Ｌ、ａ、ｂ）値に変換された画像データは、ディスプレイに表示される画像の画像データである。
【００２３】
色味近似用プロファイル変換部１０５は、標準ＲＧＢプロファイル変換部１０４から入力された（Ｌ、ａ、ｂ）値でなる画像データを、色味近似用プロフィアル１０３に基づき（Ｃ、Ｍ、Ｙ、Ｋ（Ｋ＝０））値でなる画像データに変換し、この画像データをＲＡＭ（図示せず）に記憶する。この色味近似用プロファイル変換部１０５により（Ｌ、ａ、ｂ）値から（Ｃ、Ｍ、Ｙ、Ｋ（Ｋ＝０））値に変換された画像データは、プリンタ２０により印刷媒体に印刷される画像の画像データである。
【００２４】
Ａｎｏｔｏパターン生成部１０６は、プリンタ２０により印刷媒体に印刷される画像と画像合成するＡｎｏｔｏパターン画像のＡｎｏｔｏパターンデータを生成し、このＡｎｏｔｏパターンデータをＲＡＭに記憶する。Ａｎｏｔｏパターンとは、ドットで描かれたパターンであって、各ドットは、更に細かい互いに異なるドットパターンで構成されている。Ａｎｏｔｏペンに内蔵されているパターン読み取り機構が、各ドットのドットパターンを読み取ることにより、印刷媒体上の絶対位置が検出される。
【００２５】
印刷ジョブ生成部１０７は、印刷ジョブの生成要求がＡｎｏｔｏパターン生成部１０６から入力されると、ＲＡＭに記憶されている（Ｃ、Ｍ、Ｙ、Ｋ（Ｋ＝０））値でなる画像データ、及び、Ａｎｏｔｏパターンデータを読み出し、これらの画像データが記述された印刷ジョブを生成する。そして、印刷ジョブ生成部１０７は、生成した印刷ジョブを接続ケーブルを介して送信する。
【００２６】
プリンタ２０は、画像データ記憶部２０１と、層厚制御部２０２と、印刷処理部２０３とを備える。
【００２７】
画像データ記憶部２０１は、接続ケーブルを介してＰＣ１０から送信されてきた（Ｃ、Ｍ、Ｙ、Ｋ（Ｋ＝０））値でなる画像データを記憶する画像データ記憶領域２０１１と、接続ケーブルを介してＰＣ１０から送信されてきたＡｎｏｔｏパターンデータを記憶するＡｎｏｔｏパターンデータ記憶領域２０１２とを有する。
【００２８】
層厚制御部２０２は、画像データ記憶領域２０１１に記憶されている画像データの（Ｃ、Ｍ、Ｙ、Ｋ（Ｋ＝０））値、及び、Ａｎｏｔｏパターン記憶領域２０１２に記憶されているＡｎｏｔｏパターンデータのＫ値に基づき、Ｃのトナー量、Ｍのトナー量、Ｙのトナー量、及び、Ｋのトナー量を算出し、各ドット上の総トナー量が所定量以下になるように補正し、補正された各色のトナー量を印刷処理部２０３に出力する。
【００２９】
印刷処理部２０３は、層厚制御部２０２から入力された補正後の各色のトナー量で、画像データによる画像と、ＡｎｏｔｏパターンデータによるＡｎｏｔｏパターン画像を画像合成し、この合成画像を印刷媒体に印刷する。
【００３０】
次に、本発明に係る実施例１の画像形成システムの動作を説明する。
【００３１】
図２は、本発明に係る実施例１の画像形成システムの動作を示すフローチャートである。まず、ユーザよりＰＣ１０に印刷依頼情報、すなわち、印刷を依頼する画像データのファイル名が入力されると（ステップＳ１）、標準ＲＧＢプロファイル変換部１０４は、ユーザにより指定されたファイル名の画像データを画像データ記憶部１０１から順次読み出し、この読み出した（Ｒ、Ｇ、Ｂ）値でなる画像データを標準ＲＧＢプロファイル１０２に基づき、（Ｌ、ａ、ｂ）値でなる画像データに変換し（ステップＳ２）、この（Ｌ、ａ、ｂ）値でなる画像データを色味近似用プロファイル変換部１０５に出力する。
【００３２】
色味近似用プロファイル変換部１０５は、標準ＲＧＢプロファイル変換部１０４から入力された（Ｌ、ａ、ｂ）値でなる画像データを、色味近似用プロフィアル１０３に基づき（Ｃ、Ｍ、Ｙ、Ｋ（Ｋ＝０））値でなる画像データに変換し（ステップＳ３）、この画像データをＲＡＭに書き込む。その後、色味近似用プロファイル変換部１０５は、Ａｎｏｔｏパターンデータの生成要求をＡｎｏｔｏパターン生成部１０６に出力する。
【００３３】
Ａｎｏｔｏパターン生成部１０６は、前述の生成要求が色味近似用プロファイル変換部１０５から入力されると、Ａｎｏｔｏパターン生成制御プログラムに基づき、Ａｎｏｔｏパターンデータを生成し（ステップＳ４）、このＡｎｏｔｏパターンデータをＲＡＭに書き込む。その後、Ａｎｏｔｏパターン生成部１０６は、印刷ジョブの生成要求を印刷ジョブ生成部１０７に出力する。
【００３４】
印刷ジョブ生成部１０７は、前述の生成要求がＡｎｏｔｏパターン生成部１０６から入力されると、ＲＡＭに記憶されている（Ｃ、Ｍ、Ｙ、Ｋ（Ｋ＝０））値でなる画像データ、及び、Ａｎｏｔｏパターンデータを読み出し、これらの画像データが記述された印刷ジョブを生成し、この生成した印刷ジョブを接続ケーブルを介してプリンタ２０に送信する（ステップＳ５）。
【００３５】
プリンタ２０は、ＰＣ１０から印刷ジョブを受信すると、印刷ジョブに記述されている（Ｃ、Ｍ、Ｙ、Ｋ（Ｋ＝０））値でなる画像データを、画像データ記憶部２０１の画像データ記憶領域２０１１に書き込む（ステップＳ６）。
【００３６】
プリンタ２０は、前述の画像データを画像データ記憶領域２０１１に書き込んだのち、印刷ジョブに記述されているＡｎｏｔｏパターンデータを、画像データ記憶部２０１のＡｎｏｔｏパターン記憶領域２０１２に記憶する（ステップＳ７）。
【００３７】
その後、プリンタ２０の層厚制御部２０２は、画像データ記憶領域２０１１に記憶されている画像データの（Ｃ、Ｍ、Ｙ、Ｋ（Ｋ＝０））値、及び、Ａｎｏｔｏパターン記憶領域２０１２に記憶されているＡｎｏｔｏパターンデータのＫ値に基づき、Ｃのトナー量、Ｍのトナー量、Ｙのトナー量、及び、Ｋのトナー量を算出し、各ドット上の総トナー量が所定量以下になるように補正し（ステップＳ８）、これら補正された各色のトナー量を印刷処理部２０３に出力する。
【００３８】
印刷処理部２０３は、層厚制御部２０２から入力された各色のトナー量にて、画像データでなる画像、及び、ＡｎｏｔｏパターンデータでなるＡｎｏｔｏパターン画像を画像合成し、この合成画像を印刷媒体に印刷し（ステップＳ９）、処理を終了する。
【００３９】
実施例１によれば、ＰＣ１０の色味近似用プロファイル変換部１０５が、標準ＲＧＢプロファイル変換部１０４から入力された（Ｌ、ａ、ｂ）値でなる画像データを、色味近似用プロフィアル１０３に基づき（Ｃ、Ｍ、Ｙ、Ｋ（Ｋ＝０））値でなる画像データに変換した後にプリンタ２０に送信するので、プリンタ２０が画像処理装置１０から受信した画像データを印刷媒体にＡｎｏｔｏ印刷するに際して、従来のプリンタが行っていた、補数変換処理、及び、リンクプロファイル変換処理を省略することができる。このため、プリンタ２０におけるＡｎｏｔｏ印刷において高いスループットを維持することができる。
【実施例２】
【００４０】
図３は、本発明に係る実施例２の画像形成システムの構成を示すブロック図である。この実施例２の画像形成システムは、実施例１の画像形成システムと同様、カラー画像処理装置としてのＰＣ３０と、カラー画像形成装置としてプリンタ４０と図しない接続ケーブルを介して接続されている。
【００４１】
ＰＣ３０は、実施例１と同様、プリンタ４０に送信する画像データとして、このプリンタ４０により印刷媒体に印刷されたときの画像が、ディスプレイに表示された画像の色味と近似する画像データを生成する処理（以下、近似処理という）を実行するか、または、プリンタ４０に送信する画像データとして、このプリンタ４０により印刷媒体に印刷されたときの画像が、ディスプレイに表示された画像の色味と異なる、従来の慣れ親しんだ色味の画像を生成する処理（以下、従来処理という）を実行する装置である。ここで、従来処理を実行する理由は、ユーザが印刷媒体に印刷された画像の色味を目的とする色味に修正した画像データを情報資源として活用したいという要望に答えるためや、従来のように、ディスプレイに表示された画像の色味と異なる、従来の慣れ親しんだ色味の画像を印刷媒体に印刷させたいという要望に答えるためである。
【００４２】
ＰＣ３０は、画像データ記憶部３０１と、標準ＲＧＢプロファイル３０２と、修正ＲＧＢプロファイル３０３と、色味近似用プロファイル３０４と、標準ＲＧＢプロファイル変換部３０５と、修正ＲＧＢプロファイル変換部３０６と、色味近似用プロファイル変換部３０７と、Ａｎｏｔｏパターン生成部３０８と、プロファイル変換選択部３０９と、印刷ジョブ生成部３１０とを備える。ここで、標準ＲＧＢプロファイル３０２、色味近似用プロファイル３０４、標準ＲＧＢプロファイル変換部３０５、色味近似用プロファイル変換部３０７、Ａｎｏｔｏパターン生成部３０８、及び、印刷ジョブ生成部３１０のそれぞれは、実施例１のものと同一である。
【００４３】
画像データ記憶部３０１は、実施例１と同様、スキャナで読み取られた画像データ等、プリンタ４０に印刷される画像の画像データを記憶し、更に、印刷媒体に印刷された画像の色味を目的とする色味になるように、ユーザにより修正された画像データを記憶する。
【００４４】
修正ＲＧＢプロファイル３０３は、画像データ記憶部３０１に記憶されている（Ｒ、Ｇ、Ｂ）値でなる画像データを、ディスプレイに表示された画像の色味と異なる、従来の慣れ親しんだ色味の画像を印刷媒体にＡｎｏｔｏ印刷させる（Ｌ、ａ、ｂ）値でなる画像データに変換するためのファイルである。この修正ＲＧＢプロファイル３０３のデータ構成はテーブル形式である。また、修正ＲＧＢプロファイル３０３は、ユーザの要求に従い、プロファイルを作成するツール等により生成されたプロファイルをＡｃｒｏｂａｔＤｉｓｔｉｌｌｅｒに組み込んだものである。
【００４５】
修正ＲＧＢプロファイル変換部３０６は、画像データ記憶部３０１に記憶されている（Ｒ、Ｇ、Ｂ）値でなる画像データを、修正ＲＧＢプロファイル３０３に基づき（Ｌ、ａ、ｂ）値でなる画像データに変換し、この変換した画像データを色味近似用プロファイル変換部３０７に出力する。この修正ＲＧＢプロファイル変換部３０６により（Ｒ、Ｇ、Ｂ）値から（Ｌ、ａ、ｂ）値に変換された画像データは、ディスプレイに表示された画像の色味と異なる、従来の慣れ親しんだ色味の画像を印刷媒体に印刷させるための画像データである。
【００４６】
プロファイル変換選択部３０９は、ユーザにより、近似処理か、または、従来処理を指定する処理指定情報と、印刷される画像の画像データを格納するファイル名と記述された印刷依頼情報が入力されると、印刷依頼情報に記述されている処理指定情報が近似処理であるか、従来処理であるかを判定する。そして、プロファイル変換選択部３０９は、処理指定情報が近似処理であると判定した場合には、標準ＲＧＢプロファイル変換部３０５に入力されたファイル名を出力し、一方、処理指定情報が従来処理であると判定した場合には、修正ＲＧＢプロファイル変換部３０６に前述のファイル名を出力する。
【００４７】
プリンタ４０は、画像データ記憶部４０１と、層厚制御部４０２と、印刷処理部４０３とを備える。これら、画像データ記憶部４０１、層厚制御部４０２、及び、印刷処理部４０３は、実施例１のものと同一である。
【００４８】
次に、本発明に係る実施例２の画像形成システムの動作を説明する。
【００４９】
図４は、本発明に係る実施例２の画像形成システムの動作を示すフローチャートである。ユーザによりＰＣ３０に印刷依頼情報が入力されると（ステップＳ１１）、プロファイル変換選択部３０９は、印刷依頼情報が近似処理についてのものか、または、従来処理についてのものかを判定する（ステップＳ１２）。プロファイル変換選択部３０９は、印刷依頼が近似処理であると判定した場合には（ステップＳ１２；近似処理）、ユーザが印刷依頼したファイ名を標準ＲＧＢプロファイル変換部３０５に出力する。
【００５０】
標準ＲＧＢプロファイル変換部３０５は、プロファイル変換選択部３０９から前述のファイル名が入力されると、画像データ記憶部３０１からこのファイル名の画像データを順次読み出し、標準ＲＧＢプロファイル３０２に基づき、読み出した画像データについて、（Ｒ、Ｇ、Ｂ）値でなる画像データを（Ｌ、ａ、ｂ）値でなる画像データに変換する（ステップＳ１３）。その後、標準ＲＧＢプロファイル変換部３０５は、（Ｌ、ａ、ｂ）値に変換された画像データを、色味近似用プロファイル変換部３０７に出力し、ステップＳ１５に処理を移行する。
【００５１】
ステップＳ１２において、プロファイル変換選択部３０９は、印刷依頼が従来処理であると判定した場合には（ステップＳ１２；従来処理）、ユーザが印刷依頼したファイ名を修正ＲＧＢプロファイル変換部３０６に出力する。
【００５２】
修正ＲＧＢプロファイル変換部３０６は、プロファイル変換選択部３０９から前述のファイル名が入力されると、画像データ記憶部３０１からこのファイル名の画像データを順次読み出し、修正ＲＧＢプロファイル３０３に基づき、読み出した（Ｒ、Ｇ、Ｂ）値でなる画像データを（Ｌ、ａ、ｂ）値でなる画像データに変換する（ステップＳ１４）。その後、修正ＲＧＢプロファイル変換部３０６は、（Ｌ、ａ、ｂ）値に変換された画像データを、色味近似用プロファイル変換部３０７に出力し、ステップＳ１５に処理を移行する。この修正ＲＧＢプロファイル変換部３０６により、（Ｒ、Ｇ、Ｂ）値から（Ｌ、ａ、ｂ）値に変換された画像データは、慣れ親しんだ色味の画像を印刷媒体に印刷するためのものであって、標準ＲＧＢプロファイル変換部３０５により変換された画像データの（Ｌ、ａ、ｂ）値とは異なっている。
【００５３】
以降、ステップＳ１５において、色味近似用プロファイル変換部３０７が、標準ＲＧＢプロファイル変換部３０５、又は、修正ＲＧＢプロファイル変換部３０６から入力された（Ｌ、ａ、ｂ）値でなる画像データを、（Ｃ、Ｍ、Ｙ、Ｋ（Ｋ＝０））値でなる画像データに変換する処理から、ステップＳ２１において、プリンタ４０がＰＣ３０から送信されてきた（Ｌ、ａ、ｂ）値でなる画像データの画像と、Ａｎｏｔｏパターンデータの画像とを合成し、この合成画像を印刷媒体に印刷する処理は、実施例１におけるステップＳ３からステップＳ９までの処理と同様である。
【００５４】
実施例２によれば、実施例１の効果を有し、更に、ユーザからの印刷依頼情報により、従来処理が依頼されると、修正ＲＧＢプロファイル変換部３０６が、修正ＲＧＢプロファイル３０３に基づき、画像データ記憶部３０１から読み出した（Ｒ、Ｇ、Ｂ）値でなる画像データを、慣れ親しんだ色味の画像を印刷媒体に印刷するための（Ｌ、ａ、ｂ）値でなる画像データに変換するので、プリンタ４０により印刷媒体にＡｎｏｔｏ印刷された画像データの画像を、ディスプレイに表示された画像の色味と異なる、従来の慣れ親しんだ色味の画像とすることができる。これにより、印刷媒体に印刷された画像の色味を目的とする色味に修正した画像データを情報資源として活用したいというユーザの要望に答えることができる。
【実施例３】
【００５５】
図５は、本発明に係る実施例３の画像形成システムの構成を示すブロック図である。この実施例３の画像形成システムは、実施例１の画像形成システムと同様、カラー画像処理装置としてのＰＣ５０と、カラー画像形成装置としてプリンタ６０とが接続ケーブルを介して接続されている。
【００５６】
ＰＣ５０は、実施例２と同様、ディスプレイに表示された画像の色味と近似した色味を印刷媒体に印刷させる画像データ、または、ユーザが希望する場合には、ディスプレイに表示された画像の色味と異なる従来の慣れ親しんだ色味の画像を印刷媒体に印刷させる画像データをプリンタ６０に送信する装置である。
【００５７】
ＰＣ５０は、画像データ記憶部５０１と、標準ＲＧＢプロファイル５０２と、色味近似用プロファイル５０３と、修正印刷用プロファイル５０４と、標準ＲＧＢプロフィアル変換部５０５と、色味近似用プロファイル変換部５０６と、修正印刷用プロファイル変換部５０７と、Ａｎｏｔｏパターン生成部５０８と、プロファイル変換選択部５０９と、印刷ジョブ生成部５１０とを備える。ここで、画像データ記憶部５０１、標準ＲＧＢプロファイル５０２、色味近似用プロファイル５０３、Ａｎｏｔｏパターン生成部５０８、印刷ジョブ生成部５１０は、実施例１のものと同一である。
【００５８】
修正印刷用プロファイル５０４は、（Ｌ、ａ、ｂ）値でなる画像データを、ディスプレイに表示された画像の色味と異なる、従来の慣れ親しんだ色味の画像を印刷媒体にＡｎｏｔｏ印刷させる（Ｃ、Ｍ、Ｙ、Ｋ（Ｋ＝０））値でなる画像データに変換するためのプロファイルである。この修正印刷用プロファイル５０４のデータ構成はテーブル形式である。また、修正印刷用プロファイル５０４は、ユーザの要求に従い、プロファイルを作成するツール等により生成されたプロファイルをＡｃｒｏｂａｔＤｉｓｔｉｌｌｅｒに組み込んだものである。
【００５９】
修正印刷用プロファイル変換部５０７は、標準ＲＧＢプロファイル変換部５０５から入力されたディスプレイに表示される画像の色味を表す（Ｌ、ａ、ｂ）値でなる画像データを、修正印刷用プロファイル５０４に基づき、ディスプレイに表示された画像の色味と異なる、従来の慣れ親しんだ色味の画像を印刷媒体に印刷させる（Ｃ、Ｍ、Ｙ、Ｋ（Ｋ＝０））値でなる画像データに変換し、この変換した画像データを接続ケーブルを介してプリンタ６０に送信する。また、修正印刷用プロファイル変換部５０７は、上述した（Ｃ、Ｍ、Ｙ、Ｋ（Ｋ＝０））値でなる画像データをプリンタ６０に送信したのち、Ａｎｏｔｏパターン生成部５０８に起動の指示を出力する。
【００６０】
プロファイル変換選択部５０９は、上述した印刷依頼情報に記述されている処理指定情報が近似処理であるか、従来処理であるかを判定する。そして、プロファイル変換選択部５０９は、処理指定情報が近似処理であると判定した場合には、色味近似用プロファイル変換部５０６に起動の指示を出力したのち、印刷依頼情報に記述されていたファイル名を標準ＲＧＢプロファイル変換部５０５に出力する。一方、プロファイル変換選択部５０９は、処理指定情報が従来処理であると判定した場合には、修正印刷用プロファイル変換部５０７に起動の指示を出力したのち、前述のファイル名を標準ＲＧＢプロファイル変換部５０５に出力する。
【００６１】
プリンタ６０は、画像データ記憶部６０１と、層厚制御部６０２と、印刷処理部６０３とを備える。これら、画像データ記憶部６０１、層厚制御部６０２、及び、印刷処理部６０３は、実施例１のものと同一である。
【００６２】
次に、本発明に係る実施例３の画像形成システムの動作を説明する。
【００６３】
図６は、本発明に係る実施例３の画像形成システムの動作を示すフローチャートである。ユーザによりＰＣ５０に印刷依頼情報が入力されると（ステップＳ３１）、プロファイル変換選択部５０９は、印刷依頼情報に記述されている処理指定情報が近似処理であるか、従来処理であるかを判定する（ステップＳ３２）。プロファイル変換選択部５０９は、印刷依頼情報に記述されている処理指定情報が近似処理であると判定した場合には（ステップＳ３２；近似処理）、色味近似用プロファイル変換部５０６に対して起動要求を出力する（ステップＳ３３）。次に、プロファイル変換選択部５０９は、印刷依頼情報に記述されていたファイル名を標準ＲＧＢプロファイル変換部５０５に出力する。
【００６４】
標準ＲＧＢプロファイル変換部５０５は、プロファイル変換選択部５０９から前述のファイル名が入力されると、このファイル名の画像データを画像データ記憶部５０１から順次読み出し、この読み出した画像データを標準ＲＧＢプロファイル５０２に基づき、画像データの（Ｒ、Ｇ、Ｂ）値を（Ｌ、ａ、ｂ）値に変換し（ステップＳ３４）、この（Ｌ、ａ、ｂ）値でなる画像データを色味近似用プロファイル変換部５０６に出力する。
【００６５】
色味近似用プロファイル変換部５０６は、標準ＲＧＢプロファイル変換部５０５から入力された（Ｌ、ａ、ｂ）値でなる画像データを、色味近似用プロフィアル５０３に基づき（Ｃ、Ｍ、Ｙ、Ｋ（Ｋ＝０））値でなる画像データに変換し（ステップＳ３５）、この画像データをＲＡＭに書き込む。その後、色味近似用プロファイル変換部５０６は、画像データをＲＡＭに書き込んだ旨の通知をＡｎｏｔｏパターン生成部５０８に出力し、ステップＳ３９に処理を移行する。
【００６６】
ステップＳ３２において、プロファイル変換選択部５０９は、印刷依頼情報に記述されている処理指定情報が従来処理であると判定した場合には（ステップＳ３２；従来処理）、修正印刷用プロファイル変換部５０７に対して起動要求を出力する（ステップＳ３６）。次に、プロファイル変換選択部５０９は、印刷依頼情報に記述されていたファイル名を標準ＲＧＢプロファイル変換部５０５に出力する。
【００６７】
標準ＲＧＢプロファイル変換部５０５は、プロファイル変換選択部５０９から前述のファイル名が入力されると、このファイル名の画像データを画像データ記憶部５０１から順次読み出し、この読み出した画像データを標準ＲＧＢプロファイル５０２に基づき、画像データの（Ｒ、Ｇ、Ｂ）値を（Ｌ、ａ、ｂ）値に変換し（ステップＳ３７）、この（Ｌ、ａ、ｂ）値でなる画像データを修正印刷用プロファイル変換部５０７に出力する。
【００６８】
修正印刷用プロファイル変換部５０７は、標準ＲＧＢプロファイル変換部５０５から入力された（Ｌ、ａ、ｂ）値でなる画像データを、修正印刷用プロフィアル５０４に基づき（Ｃ、Ｍ、Ｙ、Ｋ（Ｋ＝０））値でなる画像データに変換し（ステップＳ３８）、この画像データをＲＡＭに書き込む。その後、修正印刷用プロファイル変換部５０７は、Ａｎｏｔｏパターンデータの生成要求をＡｎｏｔｏパターン生成部５０８に出力する。
【００６９】
以降、ステップＳ３９において、Ａｎｏｔｏパターン生成部５０８が、Ａｎｏｔｏパターンデータを生成する処理から、ステップＳ４４において、プリンタ６０がＰＣ５０から送信されてきた（Ｃ、Ｍ、Ｙ、Ｋ（Ｋ＝０））値でなる画像データと、Ａｎｏｔｏパターンデータとの画像を合成した画像を印刷媒体に印刷する処理は、実施例１におけるステップＳ４からステップＳ９までの処理と同様である。
【００７０】
実施例３によれば、実施例１の効果を有し、更に、ユーザからの印刷依頼情報により、従来処理が要求されると、修正印刷用プロファイル変換部５０７が、標準ＲＧＢプロファイル変換部５０５により入力された（Ｌ、ａ、ｂ）でなる画像データを、慣れ親しんだ色味の画像を印刷媒体に印刷するための（Ｃ、Ｍ、Ｙ、Ｋ（Ｋ＝０））値でなる画像データに変換するので、プリンタ６０により印刷媒体にＡｎｏｔｏ印刷された画像データの画像を、ディスプレイに表示された画像の色味と異なる、従来の慣れ親しんだ色味の画像とすることができる。これにより、印刷媒体に印刷された画像の色味を目的とする色味に修正した画像データを情報資源として活用したいというユーザの要望に答えることができる。
【００７１】
色味近似用プロファイルは、印刷指示するプリンタを変更できるようにするため選択可能であり、かつ更新可能である。例えば、プリンタ内のメモリに当該プリンタ専用の色味近似用プロファイルを格納しておき、プリンタとＰＣが接続された時、プリンタとＰＣとの間で通信が行われることで、プリンタ内の色味近似用プロファイルをＰＣ内に転送するようにする。この色味近似用プロファイルは、新規なプロファイルであったり、版数の新しいプロファイルであったりする。
【００７２】
また、プリンタ内のメモリには、当該プリンタの販売会社のホームページアドレスが格納され、プリンタとＰＣが接続された時、プリンタとＰＣとの間で通信が行われることで、ＰＣがプリンタ内のホームページアドレスを参照し、ＰＣから販売会社のホームページをアクセスすることにより、該ホームページから当該プリンタ用の色味近似用プロファイルをダウンロードすることができる。更に、プリンタドライバを更新するように、記録媒体（例えば、ＵＳＢやコンパクトディスクＣＤ）からの更新も可能である。
【実施例４】
【００７３】
図９は、本発明の実施例４による画像形成システムの構成を示すブロック図、図１０は当画像形成システムにおける信号の流れを示す図である。
図９において、ＰＣ１１０は、画像データ記憶部１１０１、および、画像変換部１を構成する標準ＲＧＢプロファイル１１０２と色味近似用プロファイル１１０３と標準ＲＧＢプロファイル変換部１１０４と色味近似用プロファイル変換部１１０５、および、データ生成部３を構成するＡｎｏｔｏパターン生成部１１０６と印刷ジョブ生成部１１０７を備える。これらは、前述した実施例１のものと同一である。また、プリンタ１２０は、画像データ記憶部１２０１、層厚制御部１２０２、印刷処理部１２０３等を備え、これらもまた、実施例１のものと同一である。
【００７４】
実施例４では、ＰＣ１１０にてＣＭＹＫ変換された画像データをプリンタ１２０に送信する際、当プリンタ１２０に対してＣＭＹＫ変換処理を行わないように要求するＣＭＹＫ変換済情報を送信するようにした。以下に、図９、図１０に基づき、実施例４の動作を説明する。
【００７５】
（第１の例）
図９、図１０において、色味近似用プロファイル変換部１１０５にて変換された（Ｃ、Ｍ、Ｙ、Ｋ（Ｋ＝０））値でなる画像データＰＳ（ＣＭＹ）をデータ生成部３に渡す際、制御部２においてＣＭＹＫ変換済情報１１０８を生成し、このＣＭＹＫ変換済情報１１０８をデータ生成部３の印刷ジョブ生成部１１０７に渡す。
印刷ジョブ生成部１１０７は、上記ＣＭＹＫ変換済情報１１０８を認識すると、印刷ジョブ生成時に、印刷データのヘッダーとしてこのＣＭＹＫ変換済情報１１０８を付加し、Ａｎｏｔｏパターンデータと共にプリンタ１２０に送信する。
一方、プリンタ１２０は、ＰＣ１１０より受信した印刷データ中のＣＭＹＫ変換済情報１１０８より、受信した画像データは既にＣＭＹＫ変換済みであることを認識し、以降、当プリンタ１２０内において画像データのＣＭＹＫ変換処理を行わず、印刷処理部１２０３にて、画像データとＡｎｏｔｏパターンデータの合成画像を印刷媒体に印刷する。
【００７６】
また、上記のように印刷データのヘッダーとしてＣＭＹＫ変換済情報１１０８を付加するのではなく、プリンタ１２０に対してＣＭＹＫ変換を要求するＣＭＹＫ変換情報を付加しないようにしても良い。この場合、プリンタ１２０は、ＰＣ１１０より受信した印刷データ中の上記ＣＭＹＫ変換情報が付加されていないことを認識して、当プリンタ１２０内において画像データのＣＭＹＫ変換処理を行わない。
【００７７】
（第２の例）
また、上記第１の例とは別の構成として、図９、図１０中、破線で示すように、ＰＣ１１０内の制御部２にＣＭＹＫ変換オフスイッチ１１００を設け、ユーザのスイッチ１１００操作により、制御部２よりプリンタ１２０に対してＣＭＹＫ変換オフコマンド（ＰＪＬ）１２０４を送信するように構成することもできる。
この場合も、プリンタ１２０は、ＣＭＹＫ変換オフコマンド１２０４を受信すると、今後受信する画像データは既にＣＭＹＫ変換済みであることを認識し、以降、当プリンタ１２０内において画像データのＣＭＹＫ変換処理を行わない。
【００７８】
以上、実施例４によれば、プリンタ１２０がＰＣ１１０から受信した画像データを印刷媒体にＡｎｏｔｏ印刷するに際し、従来プリンタが行っていた、補数変換処理、及び、リンクプロファイル変換処理を省略することができる。これにより、プリンタ１２０のＡｎｏｔｏ印刷において、高いスループットを維持することができる。
【００７９】
次に、図１１〜図１４に基づいてＡｎｏｔｏパターン生成部１１０６におけるＡｎｏｔｏパターンの形成について説明する。尚、Ａｎｏｔｏパターンとは、アノト機能対応の用紙に印刷されている微細なドットパターンのことで、所定の間隔で格子状に配置されている。前述したように、Ａｎｏｔｏペンにて、各ドットパターンを読み取ることにより、印刷媒体上の絶対位置を検出することができる。
【００８０】
Ａｎｏｔｏパターン生成部１１０６は、図１１に示すように、直交する仮想格子線の交点から縦横方向に僅かにずれたドットでなる４個の基本Ａｎｏｔｏドットをキャラクタコードデータ（第１のキャラクタコードデータ）とするフォントデータを備えている。このフォントデータは、例えば、１７６０バイト程である。
デフォルト設定時、図１３（ｂ）に示すように、上記４個のフォントデータを所定の組み合わせにて、用紙（例えば、Ａ４）上に配置することにより、第１のＡｎｏｔｏパターンが生成される。この第１のＡｎｏｔｏパターンを表現するキャラクタコードデータは、例えば、６９４，６９１バイト程である。尚、図１３（ｂ）において、Ａ４用紙上の数字は図１３（ａ）のフォント属性データの番号（１〜４）に対応している。Ａｎｏｔｏパターンデータとして、フォントデータとキャラクタコードデータがプリンタに送信されることになる。つまり、プリンタに送信されるＰＳファイルには、ＣＭＹ指定された画像データとＫ指定されたＡｎｏｔｏパターンデータが含まれている。
【００８１】
また、Ａｎｏｔｏパターン生成部１１０６は、図１２に示すように、上記した４つの基本Ａｎｏｔｏドットを任意に組み合わせたものを一つのキャラクタコードデータ（第２のキャラクタコードデータ）とするフォントデータ（例えば、２９８９バイト程）を備えている。この４個の基本Ａｎｏｔｏドットの組み合わせによるフォントデータの総数は２５６個である。
Ａｎｏｔｏパターン生成部１１０６は、図１４（ｂ）に示すように、上記２５６個のフォントデータを所定の組み合わせにて、用紙上に配置することにより、第２のＡｎｏｔｏパターンが生成される。この第２のＡｎｏｔｏパターンを表現するキャラクタコードデータは、例えば、１７３，６７３バイト程である。尚、図１４（ｂ）において、用紙上の数字は図１４（ａ）のフォント属性データの番号（１〜２５６）に対応している。
【００８２】
本実施例では、上記した第１のキャラクタコードデータ、または上記した第２のキャラクタコードデータの何れかを選択して印刷データ中のＡｎｏｔｏパターンを生成することができる。
【００８３】
ここで、第２のキャラクタコードデータを選択した場合、送信するフォントデータは約１２００バイト程増大するが、送信するＡｎｏｔｏパターンのデータは、約５２０，０００バイトと大幅に削減されることになる。従って、Ａｎｏｔｏパターン生成時に第２のキャラクタコードデータを選択することにより、データの送信／受信時間やデータの解析時間等を大幅に改善することができる。
【図面の簡単な説明】
【００８４】
【図１】本発明に係る実施例１の画像形成システムの構成を示すブロック図である。
【図２】本発明に係る実施例１の画像形成システムの動作を示すフローチャートである。
【図３】本発明に係る実施例２の画像形成システムの構成を示すブロック図である。
【図４】本発明に係る実施例２の画像形成システムの動作を示すフローチャートである。
【図５】本発明に係る実施例３の画像形成システムの構成を示すブロック図である。
【図６】本発明に係る実施例３の画像形成システムの動作を示すフローチャートである。
【図７】Ａｎｏｔｏ印刷を行う従来の画像形成システムの構成を示すブロック図である。
【図８】Ａｎｏｔｏ印刷を行う従来の画像形成システムの構成を示すブロック図である。
【図９】本発明に係る実施例４の画像形成システムの構成を示すブロック図である。
【図１０】本発明に係る実施例４の画像形成システムにおける信号の流れを示す図。
【図１１】基本アノトドットを示す図である。
【図１２】基本アノトドットの組み合わせを示す図である。
【図１３】基本アノトドットによるアノトパターンを示す図である。
【図１４】基本アノトドットの組み合わせによるアノトパターンを示す図である。
【符号の説明】
【００８５】
１０、３０、５０  ＰＣ（カラー画像処理装置）
１０１、３０１、５０１  画像データ記憶部
１０２、３０２、５０２  標準ＲＧＢプロファイル
３０３  修正ＲＧＢプロファイル
１０３、３０４、５０３  色味近似用プロファイル
５０４  修正印刷用プロファイル
１０４、３０５、５０５  標準ＲＧＢプロファイル変換部
３０６  修正ＲＧＢプロファイル変換部
１０５、３０７、５０６  色味近似用プロファイル変換部
５０７  修正印刷用プロファイル変換部
１０６、３０８、５０８  Ａｎｏｔｏパターン生成部
３０９、５０９  プロファイル変換選択部
１０７、３１０、５１０  印刷ジョブ生成部
２０、４０、６０  プリンタ（カラー画像形成装置）
２０１、４０１、６０１  画像データ記憶部
２０１１、４０１１、６０１１  画像データ記憶領域
２０１２、４０１２、６０１２  Ａｎｏｔｏパターン記憶領域
２０２、４０２、６０２  層厚制御部
２０３、４０３、６０３  印刷処理部
【図１】
0004874309.tif 000002
【図２】
0004874309.tif 000003
【図３】
0004874309.tif 000004
【図４】
0004874309.tif 000005
【図５】
0004874309.tif 000006
【図６】
0004874309.tif 000007
【図７】
0004874309.tif 000008
【図８】
0004874309.tif 000009
【図９】
0004874309.tif 000010
【図１０】
0004874309.tif 000011
【図１１】
0004874309.tif 000012
【図１２】
0004874309.tif 000013
【図１３】
0004874309.tif 000014
【図１４】
0004874309.tif 000015